(57)【要約】【課題】電源を供給する外部装置の種類をより短い時間で特定すること。【解決手段】キャパシタを介して接続される外部装置に電流を供給する電源部と、外部装置のインピーダンスを所定検出タイミングで検出するインピーダンス検出手段と、インピーダンス検出手段による検出結果に応じて外部装置の種類を識別する識別手段と、インピーダンス検出手段における所定検出タイミングより前に、キャパシタに蓄積された電荷を放電せしめる放電手段を備えることを特徴とする。【選択図】図１
2009246893.tif 000002
【特許請求の範囲】
【請求項１】
キャパシタを介して接続される外部装置に電流を供給する電源部と、
前記外部装置のインピーダンスを所定検出タイミングで検出するインピーダンス検出手段と、
前記インピーダンス検出手段による検出結果に応じて前記外部装置の種類を識別する識別手段と、
前記インピーダンス検出手段における前記所定検出タイミングより前に、前記キャパシタに蓄積された電荷を放電せしめる放電手段を備える、電源装置。
【請求項２】
前記電源部は一定電圧を出力する定電圧回路であって、
前記識別手段による識別された種類に応じて前記定電圧回路から出力される電圧を変更する電圧変更手段を更に備えることを特徴とする、請求項１記載の電源装置。
【請求項３】
前記外部装置は前記電流と信号とが重畳される同軸ケーブルを介して接続され、前記キャパシタは該信号の高周波成分を通過せしめることを特徴とする、請求項１乃至２記載のいずれかの電源装置。
【発明の詳細な説明】
【技術分野】
【０００１】
本発明は、外部装置に電力を供給する電源装置に関するものである。
【背景技術】
【０００２】
従来の電源装置、特に例えば、監視カメラからの映像信号と該監視カメラに供給する電力や監視カメラを制御するための制御信号とが重畳される１本の同軸ケーブルで、該監視カメラと接続されるカメラドライバユニットが存在する。また、カメラドライバユニットに接続される監視カメラは着脱可能であり、複数種類の監視カメラが該カメラドライバユニットに接続可能である監視カメラシステムが存在する。監視カメラはカメラドライバユニットに１本の同軸ケーブルを介して接続することが可能である。
【０００３】
また、カメラドライバユニットから監視カメラに供給される電力は、カメラの種類によって決定されているため、カメラドライバユニットは、接続されている監視カメラの種類を識別する必要がある。監視カメラの種類を識別する必要性が高い場合として、例えば、カメラドライバユニットが停電などによる瞬停によりリセット状態になった場合や、監視カメラが接続された場合、およびカメラドライバユニットの電源が投入された場合が挙げられる。
【特許文献１】実用新案登録第２６０４５４６号  特許文献１のように、接続された監視カメラの種類を識別する識別方法の１つとして、カメラドライバユニットと監視カメラが接続された際に、カメラドライバユニットは同軸ケーブルとグランド間のインピーダンスを検出し、該インピーダンスの値に基づいて監視カメラの種類を識別する方法が存在する。具体的にこの識別方法を説明すると、カメラドライバユニット内に設けられたマイコン（ＣＰＵ）により、同軸ケーブルとグランド間の電圧を検出し、該電圧値に基づいて監視カメラの種類を識別する。
【発明の開示】
【発明が解決しようとする課題】
【０００４】
図５に示す従来の監視カメラシステム１０を参照して、従来のカメラドライバユニット４に接続される監視カメラ２の種類を識別する具体的な方法を説明する。
【０００５】
監視カメラ２はカメラドライバユニット４に同軸ケーブル８を介して接続される。カメラドライバユニット４は電源Ｅを有し、該電源Ｅはカメラドライバユニット４内に電力を供給し、かつ同軸ケーブル８を介して監視カメラ２へ電力を供給する。また、同軸ケーブル８では該電力に対して、カメラドライバユニット４内のＣＰＵ６から出力される監視カメラ２を制御するための制御信号と、カメラドライバユニット４に対して出力される監視カメラ２で取得された映像信号が重畳される。従来の監視カメラシステム１０において、監視カメラ２として２種類の監視カメラ２ａおよび監視カメラ２ｂが、カメラドライバユニット４に取り付け可能である。
【０００６】
カメラドライバユニット４の回路構成を詳細に説明する。分圧抵抗Ｒ１、Ｒ２は電源Ｅによる電源ラインとグランド間に配設され、ｎｐｎ型のトランジスタＱ２は、ベース端子が該分圧抵抗Ｒ１と該分圧抵抗Ｒ２の分圧点と接続される。トランジスタＱ２のエミッタ端子とグランド間には、抵抗Ｒ７を介してスイッチング機能を備えるトランジスタＱ４（ｎｐｎ型のトランジスタであって、ベース端子に接続される抵抗と、該ベース端子とエミッタ端子間に配されるプルダウン抵抗で構成される）が配設けられ、トランジスタＱ４のベース端子はＣＰＵ６に信号線Ｓ４を介して接続される。
【０００７】
ｐｎｐ型のトランジスタＱ１のコレクタ端子と、分圧抵抗Ｒ１の端子間にコンデンサＣ１が接続される。具体的には、コンデンサＣ１の陰極端子とトランジスタＱ１のコレクタ端子が接続されるとともに、該トランジスタＱ１のコレクタ端子はトランジスタＱ２のコレクタ端子にも接続される。
【０００８】
また、トランジスタＱ１のエミッタ端子とコンデンサＣ１の陽極端子が接続されるとともに、抵抗Ｒ３はトランジスタＱ１のエミッタ端子と接続される。抵抗Ｒ３の他端はコンデンサＣ２の陽極端子と接続され、コンデンサＣ２の陰極端子はトランジスタＱ１のベース端子と接続される。また、抵抗Ｒ４はコンデンサＣ２と並列に接続される。
【０００９】
抵抗Ｒ６の一方の端子はトランジスタＱ１と抵抗Ｒ３を介して接続され、他端はトランジスタＱ２のコレクタ端子と接続される。また、トランジスタＱ３のエミッタ端子はトランジスタＱ２のエミッタ端子に接続され、トランジスタＱ２、トランジスタＱ３、抵抗Ｒ６および抵抗Ｒ７によって差動増幅回路が形成される。
【００１０】
また、トランジスタＱ３のコレクタ端子はトランジスタＱ２のコレクタ端子と抵抗Ｒ６を介して接続されるとともに、ｐｎｐ型のトランジスタＱ５のエミッタ端子と接続され、該トランジスタＱ５のコレクタ端子は、ｐｎｐ型のトランジスタＱ６のコレクタ端子と接続される。トランジスタＱ５のベース端子はトランジスタＱ６のエミッタ端子と接続され、トランジスタＱ５およびトランジスタＱ６によってダーリントン接続が形成されている。抵抗Ｒ５はトランジスタＱ６のコレクタ端子とトランジスタＱ１のベース端子の間に配設される。
【００１１】
分圧抵抗Ｒ８、Ｒ９、Ｒ１０は電源ラインとグランド間に配設され、分圧抵抗Ｒ８と分圧抵抗Ｒ９の分圧点とグランド間にコンデンサＣ３が配設される。分圧抵抗Ｒ１０と並列して、トランジスタＱ７（ｎｐｎ型のトランジスタであって、ベース端子に接続される抵抗と、該ベース端子とエミッタ端子間に配されるプルダウン抵抗で構成される）が配設され、信号線Ｓ３を介してＣＰＵ６と接続される。
【００１２】
また、電源ラインとグランド間にコンデンサＣ４と、該コンデンサＣ４と直列に接続される抵抗Ｒ１１が配設され、該コンデンサＣ４と該抵抗Ｒ１１の接続点と映像処理回路が接続される。そして、電源Ｅから出力される電力を伝送するための電源ラインの電圧を検出するための検出線Ｓ２が、電源ラインとＣＰＵ６間で接続されている。ＣＰＵ６は信号線Ｓ３およびＳ４をＨレベルおよびＬレベルの状態に制御することができ、すなわち、接続されるトランジスタＱ７およびトランジスタＱ４のオン、オフを制御することができる。
【００１３】
監視カメラ２は図示しない撮像素子や駆動回路などを有し、監視カメラ２の種類を識別するためのインピーダンスである抵抗Ｒｃａｍが同軸ケーブル８とグランド間に設けられている。例えば、該インピーダンスである抵抗Ｒｃａｍが、監視カメラ２ａの場合は抵抗Ｒｃａｍａ、監視カメラ２ｂの場合は抵抗Ｒｃａｍｂとし、抵抗Ｒｃａｍａと抵抗Ｒｃａｍｂは異なるインピーダンスの値を有する。また抵抗Ｒｃａｍに並列してコンデンサＣｃａｍが電源ラインとグランド間に設けられている。なお、コンデンサＣｃａｍは、本実施例における説明の便宜上、電源ラインに接続される複数のコンデンサの集合体であるものとする。
【００１４】
さて、カメラドライバユニット４において、電源ライン上の電流に重畳される映像信号のみを映像信号回路に出力するためのコンデンサＣ４などが接続されている。そして監視カメラ２内においても、電源ライン上にカメラドライバユニット４からの制御信号のみを制御回路に出力するためのコンデンサＣｃａｍなどが接続されている。
【００１５】
カメラドライバユニット４が、どの種類の監視カメラ２が接続されているかを識別する必要性が高い場合として、上述したように（１）カメラドライバユニット４が停電などに瞬停によりリセット状態になったとき、（２）カメラドライバユニット４と監視カメラ２との接続が為されていない状態であってカメラドライバユニット４の電源がＯＮ状態から、監視カメラ２との接続が為されたとき（３）カメラドライバユニット４の電源がＯＦＦ状態からＯＮ状態に遷移したときが挙げられる。
【００１６】
（１）〜（３）のケースにおいて、ＣＰＵ６が信号線Ｓ２を介して上述した電源ラインの電圧値を検出する方法により、監視カメラ２の種類（監視カメラ２ａであるか監視カメラ２ｂであるか）を特定する際の動作を、図６に示される従来の検出電圧遷移図を参照して説明する。
【００１７】
図６の検出電圧遷移図において、縦軸として電圧値（Ｖ）を取り、横軸として時間（ｔ）を示している。電圧値ａ［Ｖ］はカメラドライバユニット４と監視カメラ２が接続されたときに、カメラドライバユニット４が、どの種類の監視カメラ２が接続されているかを識別するために信号線Ｓ２で検出した際に監視カメラ２ａであったときの電圧値であり、電圧値ｂ［Ｖ］は接続されている監視カメラ２が監視カメラ２ｂであったときに信号線Ｓ２で検出される電圧値である。電圧値ｃ［Ｖ］はカメラドライバユニット４が監視カメラ２と非接続時であるときの電源ラインの電圧値であり、電圧値ｄ［Ｖ］は監視カメラ２ａが接続された状態であって監視カメラ２ａに電力を供給するときの電圧値であり、電圧値ｅ［Ｖ］は監視カメラ２ｂが接続された状態であって監視カメラ２ｂに電力を供給するときの電圧値である。
【００１８】
図６では、時刻ｔ＝ｘのときに、（１）〜（３）に示すような状態の変化が生じた場合を示している。時刻ｔ＝ｘのときにＣＰＵ６は、カメラドライバユニット４に接続されている監視カメラ２の種類を識別する動作を実行する。具体的に説明すると、ＣＰＵ６はまず、信号線Ｓ３および信号線Ｓ４をＬレベルの状態に設定する。すると、トランジスタＱ４およびトランジスタＱ７がＯＦＦ状態となり、それに伴いトランジスタＱ２およびトランジスタＱ３がＯＦＦ状態にとなる。そして、電源Ｅから出力される一定電圧に対して、抵抗Ｒ３〜Ｒ６に基づく電圧降下により電源ラインの検出点である信号線Ｓ２の接続点における電圧が変化する。
【００１９】
次に（１）〜（３）に示す状態の変化が生じた場合の夫々のケースについて、説明する。
【００２０】
（１）のケース
監視カメラ２ａまたは監視カメラ２ｂが接続されている状態から、停電などの瞬停による状態の変化が起こったとき、図６の線（ｄ）、線（ｅ）に示されるように、時刻ｘ点から時刻ｙ点にかけて、瞬停前にコンデンサＣ４やコンデンサＣｃａｍに蓄積された電荷の影響により、非線形的に電圧が変化する。そして、時刻ｙ点となると、信号線２Ｓにおいて検出される電圧は、電源ラインの電圧に対して分圧抵抗Ｒ８、Ｒ９、Ｒ１０、ＲｃａｍａまたはＲｃａｍｂが直列に接続された際のＲｃａｍａまたはＲｃａｍｂの分圧値ａ［Ｖ］またはｂ［Ｖ］として安定期に入る。従って、ＣＰＵ６は時刻ｙに分圧値を検出することで、監視カメラ２の種類の識別が可能となる。つまりＣＰＵ６は、ａ［Ｖ］を検出すれば監視カメラ２ａであると識別し、ｂ［Ｖ］を検出すれば監視カメラ２ｂであると識別する。
【００２１】
（２）のケース
監視カメラ２ａまたは監視カメラ２ｂが新規に接続されるという状態の変化が起こったとき、図６の線（ｃ）、線（ｃ´）に示されるように、時刻ｘから時刻ｚまたは時刻ｓにかけて、監視カメラ２が接続される前にコンデンサＣ４やコンデンサＣｃａｍに蓄積された電荷の影響により、非線形的に電圧が変化する。監視カメラ２ｂが接続されている場合には、時刻ｚになると電源ラインの電圧に対して分圧抵抗Ｒ８、Ｒ９、Ｒ１０、Ｒｃａｍｂが直列に接続された際のＲｃａｍｂの分圧値ｂ［Ｖ］が安定期に入り、監視カメラ２ａが接続されている場合には時刻ｓになると電源ラインの電圧に対して分圧抵抗Ｒ８、Ｒ９、Ｒ１０、Ｒｃａｍａが直列に接続された際のＲｃａｍａの分圧値ａ［Ｖ］が安定期に入る。従って、信号線Ｓ２においての電圧値の検出による監視カメラ２の種類の識別が可能となる時刻は、時刻ｚまたは時刻ｓ以降となる。
【００２２】
（３）のケース
カメラドライバユニット４に監視カメラ２ａまたはカメラ２ｂが接続されている状態において、カメラドライバユニット４の電源ＥがＯＦＦ状態からＯＮ状態になるという状態の変化が起こったとき、図６の線（ａ）、線（ｂ）に示されるように、時刻ｘから時刻ｕまたは時刻ｚにかけて、コンデンサＣ４やコンデンサＣｃａｍに電荷が蓄積しながら、非線形的に電圧が変化する。監視カメラ２ｂが接続されている場合には、時刻ｚになると電源ラインの電圧に対して分圧抵抗Ｒ８、Ｒ９、Ｒ１０、Ｒｃａｍｂが直列に接続された際のＲｃａｍｂの分圧値ｂ［Ｖ］が安定期に入り、監視カメラ２ａが接続されている場合には、時刻ｕになると分圧値ａ［Ｖ］が安定期に入る。
【００２３】
従って、信号線Ｓ２においての電圧値の検出による監視カメラ２の種類の識別が可能となる時刻は、時刻ｕまたは時刻ｚ以降となる。
【００２４】
このように、（１）〜（３）のケースに示す状態の変化に起因する、信号線Ｓ２において電圧値の検出による監視カメラ２の種類の識別可能な時刻は、時刻ｙである。つまり、従来の方法では、（１）〜（３）のケースに示す状態の変化が起こってから、識別可能になるまでの待ち時間は必ずしも短くない。
【００２５】
本発明は、上記の問題点を解決するもので、接続される外部装置の種類をより短い時間で特定する電源装置を提供するものである。
【課題を解決するための手段】
【００２６】
第１の発明の電源装置は、キャパシタを介して接続される外部装置に電流を供給する電源部と、外部装置のインピーダンスを所定検出タイミングで検出するインピーダンス検出手段と、インピーダンス検出手段による検出結果に応じて外部装置の種類を識別する識別手段と、インピーダンス検出手段における所定検出タイミングより前に、キャパシタに蓄積された電荷を放電せしめる放電手段を備えることを特徴とする。
【００２７】
第２の発明の電源装置は、第１の発明の電源装置に従属し、電源部は一定電圧を出力する定電圧回路であって、識別手段による識別された種類に応じて定電圧回路から出力される電圧を変更する電圧変更手段を更に備えることを特徴とする。
【００２８】
第３の発明の電源装置は、第１乃至第２の発明のいずれかの電源装置に従属し、外部装置は電流と信号とが重畳される同軸ケーブルを介して接続され、キャパシタは該信号の高周波成分を通過せしめることを特徴とする。
【発明の効果】
【００２９】
本発明の電源装置によれば、接続される外部装置の種類をより短い時間で特定することができる。
【発明を実施するための最良の形態】
【００３０】
以下、本発明の電源装置の一実施例として、監視カメラ１２が接続されたカメラドライバユニット１４に実施した形態につき、図面に沿って具体的に説明する。図１は本実施例の監視カメラシステム２０の回路図を示している。本実施例の監視カメラシステム２０において、監視カメラ１２として２種類の監視カメラ１２ａおよび監視カメラ１２ｂが、カメラドライバユニット１４に取り付け可能である。
【００３１】
本実施例の監視カメラシステム２０において、図５を参照して従来の監視カメラシステム１０の構成を説明した際の符号と同じ符号が付されている部品については同様の動作が為されるものとして、説明を割愛し、異なる構成および動作について詳細に説明する。
【００３２】
さて、本実施例の監視カメラシステム２０は、従来の監視カメラシステム１０に対して、電源ラインとグランド間に抵抗Ｒ１２と、該抵抗Ｒ１２と直列に接続されるスイッチ機能を有するトランジスタＱ８（ｎｐｎ型のトランジスタであって、ベース端子に接続される抵抗と、該ベース端子とエミッタ端子間に配されるプルダウン抵抗で構成される）が配設され、信号線Ｓ１を介してＣＰＵ１６と接続される構成を新たに追加した。
【００３３】
ＣＰＵ１６により信号線Ｓ１がＬレベルの状態が維持されている場合は、トランジスタＱ８がＯＦＦ状態となり電流は導通しないが、状態がＨレベルに遷移すると、トランジスタＱ８がＯＮ状態となり、電流が導通する。すると電源ラインに接続されているコンデンサＣ４やコンデンサＣｃａｍの電荷が放電される。
【００３４】
本実施例においては、ＣＰＵ１６による信号線Ｓ１、Ｓ２、Ｓ３およびＳ４の制御が従来とは大きく異なるため、相違点を詳細に説明する。
【００３５】
カメラドライバユニット１４とどの種類の監視カメラ１２（監視カメラ１２ａであるか監視カメラ１２ｂであるか）が接続されているかを識別する必要があるケースとしては、従来と同様に（１）カメラドライバユニット１４が停電などの瞬停によりリセット状態になったとき、（２）カメラドライバユニット１４と監視カメラ１２との接続が為されていない状態であってカメラドライバユニット１４の電源がＯＮ状態から、監視カメラ１２との接続が為されたとき（３）カメラドライバユニット１４の電源がＯＦＦ状態からＯＮ状態に遷移したときが挙げられる。
【００３６】
（１）〜（３）のケースにおいて、ＣＰＵ１６が信号線Ｓ２を介して上述した電源ラインの電圧値を検出する方法により、監視カメラ１２の種類（監視カメラ１２ａであるか監視カメラ１２ｂであるか）を識別する際の動作を、図２に示す検出電圧遷移図を参照して説明する。
【００３７】
図２の検出電圧遷移図において、縦軸は電圧値（Ｖ）を示し、横軸は時間（ｔ）を示している。電圧値ａ［Ｖ］はカメラドライバユニット１４と監視カメラ１２が接続されたときに、カメラドライバユニット１４が、信号線Ｓ２で電源ラインの電圧を検出した際に監視カメラ１２ａであったときの電圧値であり、電圧値ｂ［Ｖ］は監視カメラ１２ｂが接続されたときに信号線Ｓ２で検出される電圧値である。
【００３８】
電圧値ｃ［Ｖ］はカメラドライバユニット１４が監視カメラ１２と非接続時であるときの電源ラインの電圧値であり、電圧値ｄ［Ｖ］は監視カメラ１２ａが接続された状態であって監視カメラ１２ａに電力を供給する電圧値であり、電圧値ｅ［Ｖ］は監視カメラ２ｂが接続された状態であって監視カメラ２ｂに電力を供給する電圧値である。
【００３９】
ここで、時間ｔ＝ｘのときに、（１）〜（３）のケースに起因する状態の変化が発生すると、ＣＰＵ６は、カメラドライバユニット１４に接続されている監視カメラ１２の種類を識別する動作を実行する。具体的には、ＣＰＵ１６はまず、初期設定を行う。この初期設定では、信号線Ｓ１、Ｓ２、Ｓ３、Ｓ４を全てＬレベル状態に設定する。次に、時刻ｘから時刻ｈまで約２秒間（コンデンサＣ４およびコンデンサＣｃａｍの電荷を放電せしめるに十分な時間）、信号線Ｓ１をＨレベル状態に設定する。すると、コンデンサＱ８がＯＮ状態となり、電流が導通し、電源ラインに接続されているコンデンサＣ４やコンデンサＣｃａｍの電荷が放電される。すると、（１）〜（３）のケースに関わらず、線（ｌ）、（ｍ）、（ｎ）に示すように、時刻ｈになると電圧は０［Ｖ］となる。そして、ＣＰＵ１６は、再び信号線Ｓ１をＨレベルからＬレベルの状態に設定する。
【００４０】
すると、コンデンサＣ４やコンデンサＣｃａｍに電荷が蓄積しながら、非線形的に電圧が変化する。
【００４１】
そして、監視カメラ１２ａが接続されている場合には、時刻ｉになると線（ｏ）に示すように電源ラインの電圧に対して分圧抵抗Ｒ８、Ｒ９、Ｒ１０、Ｒｃａｍａが直列に接続された際のＲｃａｍａの分圧値ａ［Ｖ］が安定期に入り、監視カメラ１２ｂが接続されている場合には、時刻ｊになると線（ｐ）に示すように分圧値ｂ［Ｖ］が安定期に入る。ここで、接続される監視カメラ１２ａであるか監視カメラ１２ｂであるかを判断する際に、時刻ｉにおける電圧値を測定する。つまり、ＣＰＵ６は、時刻ｈから時刻ｉまでの時間、例えば６秒間（コンデンサＣ４やコンデンサＣｃａｍに電荷が蓄積しながら、非線形的に電圧が変化する過度現象が終了する時間）を計測し６秒経過すると電圧値の計測を実行する。分圧値ｂ［Ｖ］が安定期に入るのを待たずに、電圧値を検出するのは、監視カメラ１２ｂが接続されている場合は電圧値ａ［Ｖ］よりも高いため、電圧値ａ［Ｖ］以上であると判断できる時刻であれば判定が可能であるからである。このように、（１）〜（３）のケースに示す状態の変化が起こってから、識別可能になるまでの待ち時間が従来に比べて非常に早くなる。
【００４２】
時刻ｉに識別された監視カメラ１２ａもしくは監視カメラ１２ｂに従って、ＣＰＵ１６は、信号線Ｓ３および信号線Ｓ４を制御する。詳しくは、監視カメラ１２ａであると判別すると、信号線Ｓ４をＨレベルの状態に遷移させ、信号線Ｓ３をＬレベルの状態にする。監視カメラ１２ｂであると判別すると、信号線Ｓ３およびＳ４をＨレベルの状態に遷移させる。従って、ＣＰＵ１６の制御に基づいて、監視カメラ１２ａに供給する電力と、監視カメラ１２ｂに供給する電力（監視カメラ１２ａへ供給する電力＜監視カメラ１２ｂへ供給する電力）を調整することができる。
【００４３】
上述したＣＰＵ１６の動作を、図３および図４のフローチャート用いて説明する。
【００４４】
まず、カメラドライバユニット１４の電源ＥがＯＦＦ状態からＯＮ状態になるとステップＳ１へ進み、ＣＰＵ１６は初期設定を行う（信号線Ｓ１：Ｌレベル、Ｓ２：Ｌレベル、Ｓ３：Ｌレベル）。次にステップＳ３へ進み、信号線Ｓ１をＨレベルに設定し、ＣＰＵ１６内の図示しないタイマをリセット＆スタートさせ、ステップＳ５へすすむ。
【００４５】
ステップＳ５では、タイマによる測定の結果が２秒を経過したか否かを判別し、２秒経過するまでステップＳ５による判別を繰り返す。ステップＳ５においてＹＥＳと判別すると、ステップＳ７へ進み、信号線Ｓ１をＬレベルに設定し、再びタイマをリセット＆スタートさせる。
【００４６】
次にステップＳ９へ進み、タイマによる測定の結果が６秒を経過したか否かを判別し、６秒経過するまでステップＳ９による判別を繰り返し行う。ステップＳ９においてＹＥＳと判別すると、ステップＳ１１へ進み信号線Ｓ２による電源ラインの電圧値の検出を実行する。次にステップＳ１３へ進み、ステップＳ１１において検出された電圧値の検出結果を識別する。
【００４７】
ステップＳ１１において検出された電圧値がａ［Ｖ］以下であると識別すると監視カメラ１２の種類は監視カメラ１２ａであるとしてステップＳ１５へ進み、信号線Ｓ３をＬレベル、信号線Ｓ４をＨレベルに設定する。また、ステップＳ１１において検出された電圧値がａ［Ｖ］よりも大きく、ｂ［Ｖ］以下であると識別すると監視カメラ１２の種類は監視カメラ１２ｂであるとしてステップＳ１７へ進み、信号線Ｓ３をＨレベル、信号線Ｓ４をＨレベルに設定しステップＳ１９へ進む。また、ステップＳ１１において検出された電圧値がｂ［Ｖ］よりも大きいと識別すると、監視カメラ１２は接続されていないとして、ステップＳ１９へ進む。
【００４８】
ステップＳ１９では、ＣＰＵ１６により（２）、（３）に該当するような状態の変化があったか否かを判別し、状態の変化があるまで該判別を繰り返し、ＹＥＳと判別するとステップＳ１へ戻る。
【００４９】
このように、本実施例において、接続される監視カメラ１２の種類及びシステムの電源切断や再投入などのそれぞれの原因にあわせてカメラの判別を行うための待ち時間を短縮することが出来る。
【図面の簡単な説明】
【００５０】
【図１】本実施例に係る監視カメラシステムを示す回路図である。
【図２】本実施例に係るカメラドライバユニットの電源ラインの電圧の変化を示す遷移図である。
【図３】本実施例に係るＣＰＵの電源ラインの電圧の検出処理および監視カメラへ供給する電力の調整処理の手続の一部を示すフローチャートである。
【図４】図３に示すＣＰＵの電源ラインの電圧の検出処理および監視カメラへ供給する電力の調整処理の手続の続きの一部を示すフローチャートである。
【図５】従来の監視カメラシステムを示す回路図である。
【図６】従来のカメラドライバユニットの電源ラインの電圧の変化を示す遷移図である。
【符号の説明】
【００５１】
８        ・・・    同軸ケーブル
１２      ・・・    監視カメラ
１４      ・・・    カメラドライバユニット
１６      ・・・    ＣＰＵ
２０      ・・・    監視カメラシステム
Ｓ１      ・・・    信号線
Ｓ２      ・・・    信号線
Ｓ３      ・・・    信号線
Ｓ４      ・・・    信号線
電源Ｅ    ・・・    電源
Ｑ４      ・・・    スイッチングトランジスタ
Ｑ７      ・・・    スイッチングトランジスタ
Ｑ８      ・・・    スイッチングトランジスタ
Ｒ８      ・・・    分圧抵抗
Ｒ９      ・・・    分圧抵抗
Ｒ１０    ・・・    分圧抵抗
Ｒ１２    ・・・    抵抗
Ｒｃａｍ  ・・・    抵抗
【図１】
2009246893.tif 000003
【図２】
2009246893.tif 000004
【図３】
2009246893.tif 000005
【図４】
2009246893.tif 000006
【図５】
2009246893.tif 000007
【図６】
2009246893.tif 000008